【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
放射線場用の線量計であって、前記線量計は、
シンチレータと、
前記シンチレータに光連通する第１の端を有するライトパイプと、
前記ライトパイプの第２の端から出力された光を検出し且つ受け取った光信号の強さを示す出力を提供するディテクタと、
を備え、
前記ライトパイプは、中空コアであって、前記中空コアの周囲のまわりに光反射材料または構造物を備えて前記中空コア内に光を反射する中空コアと、前記ライトパイプに生成されたチェレンコフ放射が前記中空コア内に入るのを減少するかまたは防止する、前記中空コアのまわりのバリアと、を備える線量計。
【請求項２】
前記光反射材料または構造物は、前記バリアの少なくとも一部を形成する、請求項１に記載の線量計。
【請求項３】
前記光反射材料または構造物は、金属の層を備える、請求項２に記載の線量計。
【請求項４】
前記光反射材料または構造物は、少なくともおよそ１ミクロンの厚さを有する銀の層を備える、請求項３に記載の線量計。
【請求項５】
前記光反射材料または構造物は、チェレンコフ放射を減衰する誘電性構造物または微細構造物を備える、請求項１または２に記載の線量計。
【請求項６】
前記バリアは、前記光反射材料または構造物を囲繞するチェレンコフ放射の高減衰を有する層を備える、請求項１乃至５のいずれか１項に記載の線量計。
【請求項７】
前記ライトパイプに光連通する表面区域を除いて前記シンチレータの表面を覆うように前記シンチレータのまわりにリフレクタが設けられる、請求項１乃至６のいずれか１項に記載の線量計。
【請求項８】
放射線治療または近接照射療法のために加えられる放射線量の測定中における使用の際に、２％未満のチェレンコフ放射が前記シンチレータからの測定信号に存在する、請求項１乃至７のいずれか１項に記載の線量計。
【請求項９】
放射線治療または近接照射療法のために加えられる放射線量の測定中における使用の際に、１％未満のチェレンコフ放射が前記シンチレータからの測定信号に存在する、請求項１乃至７のいずれか１項に記載の線量計。
【請求項１０】
前記シンチレータは、前記ライトパイプの前記中空コア内に位置する、請求項１乃至９のいずれか１項に記載の線量計。
【請求項１１】
前記ライトパイプに光学的に接続された光源をさらに備え、前記ディテクタは、較正信号として前記光源からの光を使用する、請求項１乃至１０のいずれか１項に記載の線量計。
【請求項１２】
前記光源は、前記ライトパイプに沿って前記シンチレータへ向けて光を伝達し、リフレクタが前記シンチレータの反対側の側部に設けられ、フォトディテクタによって検出可能であるように、前記光源から受け取った光を前記ライトパイプに沿って反射し戻す、請求項１１に記載の線量計。
【請求項１３】
前記シンチレータに光学的に接続され、前記シンチレータを励起する光を生成する光源をさらに備え、前記ディテクタは、前期光源によって励起されるときに前記シンチレータによって生成される光を受け取り、前記受け取った光を較正プロセスで使用する、請求項１乃至１０のいずれか１項に記載の線量計。
【請求項１４】
前記光源によって発せられた光を前記ディテクタが検出するのを減少するかまたは防止するように構成された、請求項１３に記載の線量計。
【請求項１５】
リフレクタが前記ライトパイプに遠位の前記シンチレータの端に設けられ、前記シンチレータから受け取った光を前記ライトパイプに向けて反射し、前記リフレクタは、前記光源によって生成された光よりも、前記シンチレータによって生成された光に、より高い反射率を有する、請求項１４に記載の線量計。
【請求項１６】
前記光源は、スプリッタを経由して前記ライトパイプの前記第２の端で前記ライトパイプに接続され、前記スプリッタは、前記ライトパイプから受け取った光を、前記ディテクタと前記光源との間で、不均等に分割し、より多くの光が、前記光源よりも前記ディテクタへ向けて方向づけられる、請求項１１乃至１５のいずれか１項に記載の線量計。
【請求項１７】
第２のディテクタをさらに備え、前記第２のディテクタは、
前記光源に光連通し、
前記光源から発せられた光の強さを検出するように操作可能であり、
前記シンチレータから実質的に光学的に孤立し、
前記線量計は、前記光源によって生成された光の少なくとも一部が、前記ライトパイプではなく前記第２のディテクタへ方向づけられるように構成され、前記第２のディテクタを使用して、前記光源の出力パワーの劣化を斟酌するために前記ディテクタによって較正測定を標準化する、請求項１１乃至１６のいずれか１項に記載の線量計。
【請求項１８】
前記シンチレータは、細長く、第１の端及び第２の端の間を延出する本体を有し、１：１〜５：１の範囲の長さ対幅比を備え、その長さが前記ライトパイプに整列配置され前記第１の端が前記ライトパイプに近接するかまたはその中に挿入されて位置し、リフレクタが前記シンチレータの前記第２の端に設けられ、前記第２の端で受け取った前記光を第１の端へ向けて反射するようにする、請求項１乃至１７のいずれか１項に記載の線量計。
【請求項１９】
前記シンチレータは、２：１〜４：１の範囲の長さ対幅比を有する、請求項１８に記載の線量計。
【請求項２０】
前記ライトパイプは、大きなコアの、高い開口数の光ファイバを備え、前記シンチレータは、前記ライトパイプの断面積と実質的に同一かまたはそれ未満の断面積を有し、前記シンチレータ及び前記ライトパイプは、実質的に同一の断面形状を有する、請求項１乃至１９のいずれか１項に記載の線量計。
【請求項２１】
反射防止インタフェースが、前記シンチレータと前記ライトパイプとの間のインタフェースに設けられる、請求項１乃至２０のいずれか１項に記載の線量計。
【請求項２２】
前記ライトパイプは光ファイバであり、前記光ファイバの臨界角の外部にあったであろう前記シンチレータからの光を、前記光ファイバの臨界角内に光を方向づけるために、前記シンチレータと前記光ファイバとの間の光路に屈折要素が位置する、請求項１乃至２１のいずれか１項に記載の線量計。
【請求項２３】
線量計を製造する方法であって、前記方法は、ライトパイプを経由して光ディテクタをシンチレータに接続することを備え、それは、リフレクタによって境界づけられる中空コアを備えた、大きなコアの高い開口数のライトパイプを備え、前記方法は、チェレンコフ放射が前記ライトパイプの前記コア内に入るのに対してバリアを形成することをさらに含み、前記バリアは、前記リフレクタによって、及び／または、チェレンコフ放射の高減衰を呈する前記リフレクタを囲繞する材料によって、実質的に形成され、前記シンチレータは、細長く、前記ライトパイプの断面積にほぼ等しいかまたはそれ未満の断面積を有する方法。
【請求項２４】
少なくとも、前記ライトパイプから遠位にある前記シンチレータの一端に、前記シンチレータが励起するときに生成された光用のリフレクタを提供することをさらに備える、請求項２３に記載の方法。
【請求項２５】
幅が１ｍｍ未満であり、幅対長さ比が１：２〜１：４の範囲であるシンチレータを選択することをさらに備える、請求項２３または２４に記載の方法。
【請求項２６】
前記中空コア内に少なくとも実質的に含まれるように、前記シンチレータを前記ライトパイプの前記中空コア内に挿入することをさらに備える、請求項２３乃至２５に記載の方法。